(57)【要約】【課題】現状の受信電界強度でどの程度安定して受信できているのかを直感的に認識することができ、しかも各種変調方式の相違による受信可能受信電界強度を直感的に認識すること。【解決手段】ＱＡＭ復調部によりＱＡＭ変調方式による伝送信号が復調され、ＯＦＤＭ復調部によりＯＦＤＭ変調方式による伝送信号が復調され、データ処理部によりＱＡＭ復調部の復調出力から得られる現状の受信電界強度とメモリに記憶されている第１理論特性値との比較結果を出力するか、又はＯＦＤＭ復調部の復調出力から得られる現状の受信電界強度とメモリに記憶されている第２理論特性値との比較結果が出力されると、表示制御部によりデータ処理部からの出力に応じて、メータ表示部１００にＱＡＭ変調方式又はＯＦＤＭ変調方式に依存した受信可能な受信電界強度がグラフィック表示されるようにした。【選択図】図３
2010118908.tif 000002
【特許請求の範囲】
【請求項１】
デジタル変調された伝送信号を受信する受信装置での前記伝送信号の受信状況をメータ表示部に表示する信号受信状況表示装置であって、
前記伝送信号を復調する復調手段と、
受信可能な電界強度の限界レベルを示す理論特性値を記憶する記憶手段と、
前記復調手段の復調出力から得られる現状の受信電界強度と前記理論特性値とを出力するデータ処理手段と、
該データ処理手段からの出力に応じて、前記メータ表示部に受信可能な受信電界強度をグラフィック表示させる表示制御手段とを備える
ことを特徴とする信号受信状況表示装置。
【発明の詳細な説明】
【技術分野】
【０００１】
本発明は、ＱＡＭ（直交振幅変調：Ｑｕａｄｒａｔｕｒｅ  Ａｍｐｌｉｔｕｄｅ  Ｍｏｄｕｌａｔｉｏｎ）変調方式やＯＦＤＭ（直交周波数分割多重：Ｏｒｔｈｏｇｏｎａｌ  Ｆｒｅｑｕｅｎｃｙ  Ｄｉｖｉｓｉｏｎ  Ｍｕｌｔｉｐｌｅｘ）変調方式等で変調された伝送信号搬送波の受信電界強度を表示する信号受信状況表示装置に関する。
【背景技術】
【０００２】
まず、図６及び図７により、従来より用いられていた受信電界強度を表示する表示器について説明する。まず、図６はアナログメータ３０１を示すものであり、受信電界強度を表示するスケール３０１ａと、現状の受信電界強度を示す指針３０１ｂとを有している。
【０００３】
このようなアナログメータ３０１では、検出された受信電界に対応して指針３０１ｂが回動し、その指針３０１ｂが指し示すスケール３０１ａの目盛りで現状の受信電界強度が示される。
【０００４】
一方、図７は、デジタルメータ４０１を示すものであり、たとえば液晶画面に受信電界強度を示すスケール４０１ａと、現状の受信電界強度をアナログ的に示すためのバー４０１ｂと、現状の受信電界強度を示す数値４０１ｃとが表示される。
【０００５】
このようなデジタルメータ４０１では、受信電界強度を示すスケール４０１ａに対し、検出された受信電界強度に応じてバー４０１ｂが変化し、そのバー４０１ｂが指し示すスケール４０１ａの目盛りで現状の受信電界強度が示されるとともに、数値４０１ｃでも現状の受信電界強度が示される。
【０００６】
ところで、従来のＦＭ変調のようなアナログ変調方式では、電界強度が減少しても、すぐには受信不可能にはならなかった。このため、出力される映像信号をモニターディスプレイ等で確認することで、図６のアナログメータ３０１や図７のデジタルメータ４０１で受信電界強度を表示しても、現状の受信電界強度でどの程度安定して受信可能かを、ユーザである運用者が把握することができていた。
【０００７】
ところが、ＱＡＭ変調方式やＯＦＤＭ変調方式等のデジタル変調方式では、電界強度が変化すると、突然、受信不可能になるため、どの電界強度で安定して受信可能かを実際のメータ表示だけから判別することは難しい。
【０００８】
また、従来のアナログ変調方式では、変調方式（変調モード）を変更した際でも、受信可能な受信電界強度が変化することはなかった。
【０００９】
しかしながら、ＱＡＭ変調方式やＯＦＤＭ変調方式等のデジタル変調方式では、それら変調方式（変調モード）を変化させると、受信可能な受信電界強度が異なってしまう。このため、受信電界強度のみを示している図６のアナログメータ３０１や図７のデジタルメータ４０１では、変調方式を変更した際に、どの程度安定して受信できているのかを運用者が直感的に判断することは困難である。
【００１０】
ちなみに、移動中継放送等に用いられるデジタルＦＰＵ（Ｆｉｅｌｄ  Ｐｉｃｋ−ｕｐ  Ｕｎｉｔ）装置を含むデジタル伝送装置では、送信装置から受信装置に対して、たとえば映像データを空間伝送したとき、雨による影響や、地形、ビル等の建物の影響により、受信装置側での受信電界が弱くなったり、建物の影響による反射等によるマルチパス等により、ＢＥＲ（Ｂｉｔ  Ｅｒｒｏｒ  Ｒａｔｅ）特性が理論値より悪くなったりする。
【００１１】
特に、マラソン中継等の移動しながらの電波伝送にデジタル送信装置を用いる場合、受信側の受信アンテナを移動中の中継車等の送信アンテナに正確に向け、強い電波を受ける方向調整作業が必要となる。
【００１２】
このようなデジタル信号の受信電界強度を把握するものとして、特許文献１では、受信した映像データから受信入力電界値及びＢＥＲ（ｂｉｔ  ｅｒｒｏｒ  ｒａｔｅ）値を検出し、メモリに記録されている受信入力電界値―ＢＥＲ値特性データと、受信入力電界値及びＢＥＲ値とを比較してその結果を表示するようにしたデジタル伝送装置の伝送状態表示方法を提案している。
【００１３】
【特許文献１】特開２００５−０８６３８６号公報
【発明の開示】
【発明が解決しようとする課題】
【００１４】
上述した特許文献１では、メモリに記録されている受信入力電界値―ＢＥＲ値特性データと、受信入力電界値及びＢＥＲ値との比較結果が表示されるため、映像データが実際に空間伝送したときの受信入力電界値及びそのときに得られるＢＥＲ値を定量的に確認することができるようになっている。
【００１５】
ところが、このようなデジタル伝送装置の伝送状態表示方法では、受信入力電界値―ＢＥＲ値特性データと、受信入力電界値及びＢＥＲ値との比較結果が数値でのみ表示されるため、現状の受信電界強度でどの程度安定して受信できているのかを直感的に認識することができないとともに、各種変調方式の相違による受信可能電界強度を直感的に認識することができないという問題があった。
【００１６】
本発明は、このような状況に鑑みてなされたものであり、現状の受信電界強度でどの程度安定して受信できているのかを直感的に認識することができ、しかも各種変調方式の相違による受信可能受信電界強度を直感的に認識することができる信号受信状況表示装置を提供することを目的とする。
【課題を解決するための手段】
【００１７】
本発明の信号受信状況表示装置は、デジタル変調された伝送信号を受信する受信装置での前記伝送信号の受信状況をメータ表示部に表示する信号受信状況表示装置であって、前記伝送信号を復調する復調手段と、受信可能な電界強度の限界レベルを示す理論特性値を記憶する記憶手段と、前記復調手段の復調出力から得られる現状の受信電界強度と前記理論特性値とを出力するデータ処理手段と、該データ処理手段からの出力に応じて、前記メータ表示部に受信可能な受信電界強度をグラフィック表示させる表示制御手段とを備えることを特徴とする。
【発明の効果】
【００１８】
本発明の信号受信状況表示装置によれば、データ処理手段からの復調手段の復調出力から得られる現状の受信電界強度と理論特性値とに応じて、表示制御手段によりメータ表示部に受信可能な受信電界強度がグラフィック表示されるようにしたので、現状の受信電界強度でどの程度安定して受信できているのかを直感的に認識することができる。
【発明を実施するための最良の形態】
【００１９】
以下、本発明の実施形態の詳細について説明する。図１は、本発明の一実施形態に係る信号受信状況表示装置が適用されるデジタル受信装置の概要を説明するための正面図である。
【００２０】
同図に示すように、デジタル受信装置１は、メータ表示部１００、情報表示部１１０、電源スイッチ１１１、切替スイッチ１１２、レベル調整スイッチ１１３、チャンネル選択スイッチ１１４等を有している。
【００２１】
メータ表示部１００は、受信電界強度等を表示するものであるが、その詳細については後述する。情報表示部１１０は、現在受信中のデジタル信号の変調方式、周波数帯、ビットレート等の情報を表示する。
【００２２】
電源スイッチ１１１は、デジタル受信装置１の電源をオンする際に操作されるメインスイッチである。切替スイッチ１１２は、たとえばＱＡＭ変調方式によるデジタル信号、又はＯＦＤＭ変調方式よるデジタル信号のいずれかを受信する際に操作される。レベル調整スイッチ１１３は、受信感度を調整する際に操作される。チャンネル選択スイッチ１１４は、受信チャンネルを選択する際に操作される。
【００２３】
図２は、デジタル受信装置１の内部構成を説明するためのブロック図である。
【００２４】
同図に示すように、デジタル受信装置１は、受信アンテナ１０、ダウンコンバータ２０、切替部３０、ＱＡＭ復調部４０、ＱＡＭ復号部５０、ＯＦＤＭ復調部６０、ＯＦＤＭ復号部７０、データ処理部８０、メモリ８１、表示制御部９０、メータ表示部１００を備えている。
【００２５】
受信アンテナ１０は、図示しないデジタル送信装置側から送信されるＯＦＤＭ変調又はＱＡＭ変調されたデジタル信号を受信する。ダウンコンバータ２０は、受信アンテナ１０で受信されたデジタル信号をベースバンド信号に変換する。
【００２６】
切替部３０は、上述した切替スイッチ１１２の操作に応じた切替信号に基づき、ダウンコンバータ２０で変換されたベースバンド信号をＱＡＭ復調部４０又はＯＦＤＭ復調部６０に出力するように切り替える。切替部３０により変調方式が変更されると、各変調方式に対応する、変調方式がメモリ８１に設定されるようになっている。
【００２７】
ＱＡＭ復調部４０は、ベースバンド信号をＱＡＭ復調する。ＱＡＭ復号部５０は、ＱＡＭ復調された信号を元の送信データに復号する。ＯＦＤＭ復調部６０は、ベースバンド信号をＯＦＤＭ復調する。ＯＦＤＭ復号部７０は、ＯＦＤＭ復調された信号を元の送信データに復号する。
【００２８】
データ処理部８０は、変調方式がＱＡＭ変調モードであった場合は、メモリ８１に記憶されているＱＡＭ変調方式の変調モードに対する受信電界強度対ビットエラーレートの第１理論特性値と、ＱＡＭ復調部４０から得られる現状の受信電界強度とを出力する。
【００２９】
また、データ処理部８０は、変調方式がＯＦＤＭ変調モードであった場合は、メモリ８１に記憶されているＯＦＤＭ変調方式の変調モードに対する受信電界強度対ビットエラーレートの第２理論特性値と、ＯＦＤＭ復調部６０から得られる現状の受信電界強度とを出力する。
【００３０】
メモリ８１には、ＱＡＭ変調方式の変調モードに対する受信電界強度対ビットエラーレートの第１理論特性値と、ＯＦＤＭ変調方式の変調モードに対する受信電界強度対ビットエラーレートの第２理論特性値とが記憶されている。ここで、理論特性値とは、ＱＡＭ変調方式の変調モードやＯＦＤＭ変調方式の変調モードにおける受信可能な電界強度の限界レベルや、どのレベルで受信可能かのマージン等の理論的な特性値を示すものである。
【００３１】
表示制御部９０は、データ処理部８０からの出力に応じてメータ表示部１００における受信電界強度等の表示を制御する。メータ表示部１００は、受信電界強度等を表示する。
【００３２】
次に、図３により、メータ表示部１００に表示される受信電界強度対ビットエラーレートの表示例について説明する。
【００３３】
まず、図３（ａ）に示すように、メータ表示部１００のメータ表示画面１０１には、現状の受信電界強度を示す数値１０１ａと、ビットエラーレートを示すビットエラースケール１０１ｂと、受信電界強度を示す受信電界強度スケール１０１ｃとが表示されるようになっている。また、ビットエラースケール１０１ｂは縦軸で表示され、受信電界強度スケール１０１ｃは横軸で表示されている。
【００３４】
また、メータ表示画面１０１には、ＱＡＭ変調方式やＯＦＤＭ変調方式のような変調方式により決まる上記第１理論特性値又は上記第２理論特性値の特性画像１０１ｄと、実際に受信された受信電界強度とビットエラーレートの関係を示す特性画像１０１ｅとが表示されるようになっている。
【００３５】
また、特性画像１０１ｄ及び特性画像１０１ｅのそれぞれは、図３（ｂ）に示すような形状とされており、これらの特性画像１０１ｄ及び特性画像１０１ｅと、上述した数値１０１ａ、ビットエラースケール１０１ｂ、受信電界強度スケール１０１ｃとが図３（ａ）のようにメータ表示画面１０１上で重ね合わされて表示される。このとき、特性画像１０１ｅにおけるビットエラーレートは、実際に受信された受信電界強度内で、単に上記第１理論特性値又は上記第２理論特性値のビットエラーレート特性に合わせて表示している。
【００３６】
ちなみに、図３（ａ）では、特性画像１０１ｅが指し示す受信電界強度スケール１０１ｃ上の位置と、数値１０１ａが示す値から現状の受信電界強度が−４７ｄＢｍであることが分かるようになっている。
【００３７】
このようなメータ表示画面１０１では、ビットエラーレートを示すビットエラースケール１０１ｂと、受信電界強度を示す受信電界強度スケール１０１ｃとを組み合わせて表示される２次元領域に、ＱＡＭ変調方式やＯＦＤＭ変調方式により理論的に決まる特性画像１０１ｄが表示されることで、ＱＡＭ変調方式やＯＦＤＭ変調方式の理論上のビットエラーレート特性が視覚的に表示されることになる。
【００３８】
これにより、特性画像１０１ｄと、この特性画像１０１ｄに一部重ねられた特性画像１０１ｅとから、現状の受信電界強度でどの程度安定して受信できているのかを直感的に認識することができるとともに、現状の受信電界強度にどの程度余裕があるのかを直感的に認識することができるようになっている。
【００３９】
なお、特性画像１０１ｄと、特性画像１０１ｅとは、それぞれ異なる色で表示することができる。このように、特性画像１０１ｄと、特性画像１０１ｅとを、それぞれ異なる色で表示するようにすると、どの程度安定して受信できているのかや、現状の受信電界強度にどの程度の余裕があるのかをより直感的に認識することができるようになる。
【００４０】
すなわち、現状の受信電界強度とエラーレートとの特性を示す特性画像１０１ｅは、ＱＡＭ変調方式やＯＦＤＭ変調方式の理論上のビットエラーレート特性を表現する形状となっているので、運用者はビットエラーレートを示すビットエラースケール１０１ｂと、受信電界強度を示す受信電界強度スケール１０１ｃとの対比を視覚的にとらえることができ、色別で示される特性画像１０１ｅの面積の広さにより、現状の受信電界強度が有効であるかどうかを直感的に判断することができることになる。
【００４１】
また、数値１０１ａによって現状の受信電界強度が示されるため、現状の受信電界強度を正確かつ容易に読み取ることも可能となっている。
【００４２】
図４は、たとえばＱＡＭ変調方式の６４ＱＡＭやＱＰＳＫなどの変調モードの違いによるメータ表示の相違を示す図である。
【００４３】
まず、図４（ａ）はＱＰＳＫモードの受信可能電界強度が低い変調方式のメータ表示画面１０１の例を示し、図４（ｂ）は受信可能電界強度が図４（ａ）のＱＰＳＫモードより比較的高いＱＡＭモードのメータ表示画面１０２を示している。
【００４４】
図４（ａ），（ｂ）から分かるとおり、ＱＡＭ変調方式の６４ＱＡＭやＱＰＳＫなどの変調モード毎に受信電界強度対ビットエラーレートの第１理論特性値及び第２理論特性値がメータ表示に反映されるので、同じ受信電界強度でも変調方式の違いにより、例えば、図４（ａ）のメータ表示画面１０１に比べて、図４（ｂ）のメータ表示画面１０２の受信状態の方が、現状の受信電界強度に余裕が無いことを直感的に判断できることになる。
【００４５】
図５は、メータ表示画面１０１に表示されるビットエラースケール１０１ｂに代えてマージンスケール２０１ｂとしたマージン対受信電界強度のメータ表示例を示す図である。
【００４６】
まず、図５（ａ）において、符号２０１はマージン対受信電界強度を示すメータ表示画面であり、現状の受信電界強度を示す数値２０１ａと、マージンを示すマージンスケール２０１ｂと、受信電界強度を示す受信電界強度スケール２０１ｃとが表示されるようになっている。
【００４７】
また、メータ表示画面２０１には、ＱＡＭ変調方式やＯＦＤＭ変調方式と上述したＱＡＭ復調部４０やＯＦＤＭ復調部６０における復調処理にて算出されたＣＮ（Ｃａｒｒｉｅｒ  ｔｏ  Ｎｏｉｓｅ  Ｒａｔｉｏ）値により理論的に決まる特性画像２０１ｄと、実際に受信された受信電界強度とマージンの関係を示す特性画像１０１ｅとが表示されるようになっている。
【００４８】
また、受信電界強度対ビットエラーレート画像２０１ｄ及び特性画像２０１ｅのそれぞれは、図５（ｂ）に示すような形状とされており、これらの特性画像２０１ｄ及び特性画像２０１ｅと、上述した数値２０１ａ、マージンスケール２０１ｂ、受信電界強度スケール２０１ｃとが図５（ａ）のようにメータ表示画面２０１上で重ね合わされて表示される。
【００４９】
ここで、ＱＡＭ変調方式やＯＦＤＭ変調方式の伝送信号は、地形、ビル等の建物の影響による空中線伝送路のフェージング、マルチパス、ノイズ等で時々刻々と受信状況が変化する。この変化は、ＱＡＭ変調方式やＯＦＤＭ変調方式にて算出されるＣＮ値に反映される。このＣＮ値から現状の受信状況で発生するビットエラーレートがエラー訂正不能となる最低受信可能電界強度を算出し、最低受信可能電界強度と現状の受信電界強度の差分をマージン値として算出する。
【００５０】
そして、マージンスケール２０１ｂと受信電界強度スケール２０１ｃのスケール表示を組み合わせることで表現される２次元領域に、算出されたマージン値と受信電界強度に対応した特性画像２０１ｄを表示し、現状の受信状況によるマージン特性を表示する。
【００５１】
なお、特性画像２０１ｄと、特性画像２０１ｅとは、上記同様に、それぞれ異なる色で表示することができる。このように、特性画像２０１ｄと、特性画像２０１ｅとを、それぞれ異なる色で表示するようにすると、現状の受信電界強度にどの程度のマージンがあるのかを直感的に認識することができるようになる。
【００５２】
すなわち、特性画像２０１ｅは時々刻々と変化する受信状況に対応する形で変化し、特性画像２０１ｅの面積も増減するので、運用者はリアルタイムにマージンを示すマージンスケール２０１ｂと受信電界強度を示す受信電界強度スケール２０１ｃとの対比を視覚的にとらえることができ、その特性画像２０１ｅの面積の広さにより現状の受信電界強度が有効であるかどうかを直感的に判断することができることになる。
【００５３】
また、数値２０１ａによって現状の受信電界強度が示されるため、現状の受信電界強度を正確かつ容易に読み取ることも可能となっている。
【００５４】
このように、本実施形態では、第１信号復調手段であるＱＡＭ復調部４０により第１変調モードであるＱＡＭ変調方式による伝送信号が復調され、第２信号復調手段であるＯＦＤＭ復調部６０により第２変調モードであるＯＦＤＭ変調方式による伝送信号が復調され、記憶手段であるメモリ８１にＱＡＭ変調方式及びＯＦＤＭ変調方式のそれぞれにおける受信可能な電界強度の限界レベルを示す第１理論特性値及び第２理論特性値が記憶され、データ処理手段であるデータ処理部８０によりＱＡＭ復調部４０の復調出力から得られる現状の受信電界強度とメモリ８１に記憶されている第１理論特性値とを出力するか、又はＯＦＤＭ復調部６０の復調出力から得られる現状の受信電界強度とメモリ８１に記憶されている第２理論特性値とが出力されると、表示制御手段である表示制御部９０によりデータ処理部８０からの出力に応じて、メータ表示部１００にＱＡＭ変調方式又はＯＦＤＭ変調方式に依存した受信可能な受信電界強度がグラフィック表示されるようにしたので、現状の受信電界強度でどの程度安定して受信できているのかを直感的に認識することができ、しかも各種変調方式の相違による受信可能受信電界強度を直感的に認識することができる。
【００５５】
また、このように、現状の受信電界強度の安定性や、各種変調方式の相違による受信可能受信電界強度が直感的に認識することができることから、特に、移動中継放送等に用いられるデジタルＦＰＵ（Ｆｉｅｌｄ  Ｐｉｃｋ−ｕｐ  Ｕｎｉｔ）装置に適用すると、時々刻々と変化する受信状況に素早く対応させた方向調整作業を容易に行うことができる。
【００５６】
特に、変調方式を変更して、ビットレートを低くて安定した送受信を行うようにしたり、マージンを考慮して変調方式を変更するなどの対応が容易にできる。これにより、通信が途切れる、いわゆる放送事故を、防止できるという効果が得られる。
【００５７】
また、本実施形態では、図５に示したように、マージン対受信電界強度についてもグラフィック表示させるようにしたので、マージンを示すマージンスケール２０１ｂと受信電界強度を示す受信電界強度スケール２０１ｃとの対比を視覚的にとらえることができ、その特性画像２０１ｅの面積の広さにより現状の受信電界強度が有効であるかどうかを直感的に判断することもできる。
【００５８】
なお、本実施形態では、デジタル変調方式として、ＱＡＭ変調方式やＯＦＤＭ変調方式を例示したが、これに限らず、ＳＳ（Ｓｐｒｅａｄ  Ｓｐｅｃｔｒｕｍ）無線やＣＤＭＡ（Ｃｏｄｅ  Ｄｉｖｉｓｉｏｎ  Ｍｕｌｔｉｐｌｅ  Ａｃｃｅｓｓ）等の他の変調方式にも適用可能である。
【００５９】
また、上記実施の形態では、特性画像１０１ｄと１０１ｅ、あるいは特性画像２０１ｄと２０１ｅを重ねて表示したが、重ならないように上下に分けて表示するようにしても良い。この場合、特性画像１０１ｄ、２０１ｄがビットエラーレートやマージンを反映しており特性画像１０１ｅ、２０１ｅとの対応関係が容易に分かるので、特性画像１０１ｅ、２０１ｅはビットエラーレートやマージンを反映させた特性画像としなくても良い。
【００６０】
なお、変調方式が同じであっても、例えば、６４ＱＡＭで変調するか１６ＱＡＭで変調するかといったパラメータを変更すると、受信可能な電界強度が変化する。これに対応して、上述の実施形態と同様に、受信電界強度対ビットエラーレートやマージン対受信電界強度のメータ表示画面を、それぞれ作成することが可能である。
【００６１】
また、上述したＦＰＵ装置での表示方法を用いる以外に、たとえば地上デジタル放送において、変調方式が異なるワンセグ放送とフルセグ放送の電波のそれぞれの強度を表示する場合などにも適用可能である。
【００６２】
以上の説明のように、本発明の実施の形態における信号受信状況表示装置は、デジタル変調された伝送信号を受信する受信装置での前記伝送信号の受信状況をメータ表示部に表示する信号受信状況表示装置であって、前記伝送信号を復調する復調手段と、受信可能な電界強度の限界レベルを示す理論特性値を記憶する記憶手段と、前記復調手段の復調出力から得られる現状の受信電界強度と前記理論特性値とを出力するデータ処理手段と、該データ処理手段からの出力に応じて、前記メータ表示部に受信可能な受信電界強度をグラフィック表示させる表示制御手段とを備えることを特徴としている。
【００６３】
また、本発明の実施の形態における信号受信状況表示装置は、デジタル変調された伝送信号を受信する受信装置での前記伝送信号の受信状況をメータ表示部に表示する信号受信状況表示装置であって、第１変調モードによる前記伝送信号を復調する第１信号復調手段と、第２変調モードによる前記伝送信号を復調する第２信号復調手段と、前記第１変調モード及び前記第２変調モードのそれぞれにおける受信可能な電界強度の限界レベルを示す第１理論特性値及び第２理論特性値を記憶する記憶手段と、前記第１信号復調手段の復調出力から得られる現状の受信電界強度と前記第１理論特性値とを出力するか、又は前記第２信号復調手段の復調出力から得られる現状の受信電界強度と前記第２理論特性値とを出力するデータ処理手段と、該データ処理手段からの出力に応じて、前記メータ表示部に前記第１変調モード又は前記第２変調モードに依存した受信可能な受信電界強度をグラフィック表示させる表示制御手段とを備えることを特徴としている。
【００６４】
また、本発明の実施の形態における信号受信状況表示装置において、グラフィック表示させる前記受信可能な受信電界強度はビットエラーレート又はマージンと関係付けられていることを特徴とする。
【図面の簡単な説明】
【００６５】
【図１】本発明の一実施形態に係る信号受信状況表示装置が適用されるデジタル受信装置の概要を説明するための正面図である。
【図２】図１のデジタル受信装置の内部構成を説明するためのブロック図である。
【図３】図１のメータ表示部に表示される受信電界強度対ビットエラーレートの表示例について説明するための図である。
【図４】図１のメータ表示部に表示される、ＱＡＭ変調方式やＯＦＤＭ変調方式の違いによるメータ表示の相違を示す図である。
【図５】図１のメータ表示部に表示される、マージン対受信電界強度のメータ表示例を示す図である。
【図６】従来のアナログメータを説明するための図である。
【図７】従来のデジタルメータを説明するための図である。
【符号の説明】
【００６６】
１  デジタル受信装置
１０  受信アンテナ
２０  ダウンコンバータ
３０  切替部
４０  ＱＡＭ復調部
５０  ＱＡＭ復号部
６０  ＯＦＤＭ復調部
７０  ＯＦＤＭ復号部
８０  データ処理部
８１  メモリ
９０  表示制御部
１００  メータ表示部
１０１  メータ表示画面
１０１ａ  数値
１０１ｂ  ビットエラースケール
１０１ｃ  受信電界強度スケール
１０１ｄ  特性画像
１０１ｅ  特性画像
１０２  メータ表示画面
１１０  情報表示部
１１１  電源スイッチ
１１２  切替スイッチ
１１３  レベル調整スイッチ
１１４  チャンネル選択スイッチ
２０１  メータ表示画面
２０１ａ  数値
２０１ｂ  マージンスケール
２０１ｃ  受信電界強度スケール
２０１ｄ  特性画像
２０１ｅ  特性画像
【図１】
2010118908.tif 000003
【図２】
2010118908.tif 000004
【図３】
2010118908.tif 000005
【図４】
2010118908.tif 000006
【図５】
2010118908.tif 000007
【図６】
2010118908.tif 000008
【図７】
2010118908.tif 000009